【手続補正書】
【提出日】平成19年11月5日(2007.11.5)
【手続補正１】
【補正対象書類名】特許請求の範囲
【補正対象項目名】全文
【補正方法】変更
【補正の内容】
【特許請求の範囲】
【請求項１】
複数の画像フレームからなる映像を記憶し、再生速度を指定した前記画像フレームの読み出し、または、前記画像フレームの読み出しの停止である読み出し指示を受信して、前記受信された読み出し指示に従って、前記記憶された画像フレームを読み出して送信する映像サーバ装置と、前記映像を再生する映像再生装置とが通信回線を介して接続された映像通信システムの映像再生装置であって、
前記読み出し指示を前記映像サーバ装置に送信する指示送信手段と、
前記読み出し指示に従って前記映像サーバ装置から送信された前記画像フレームを受信してバッファ記憶手段に格納する画像フレーム受信手段と、
前記バッファ記憶手段に記憶された画像フレームを映像表示手段に送信する再生手段と、
前記画像フレーム受信手段が第１の再生速度で前記画像フレームを受信して前記バッファ記憶手段に格納し、かつ、前記再生手段が前記第１の再生速度で前記画像フレームを前記映像表示手段に送信している際、前記指示送信手段に前記画像フレームの読み出しを停止する指示を送信させて所定の待ち時間が経過した後に前記第１の再生速度より遅い第２の再生速度で前記画像フレームを読み出す指示を送信させ、かつ、前記再生手段に前記バッファ記憶手段に記憶された画像フレームを前記第２の再生速度で前記映像表示手段に送信させるスロー再生制御手段と
を有することを特徴とする映像再生装置。
【請求項２】
複数の画像フレームからなる映像を記憶し、再生速度を指定した前記画像フレームの読み出し指示を受信し、前記受信された読み出し指示に従って、前記記憶された画像フレームを読み出して送信する映像サーバ装置と、前記映像を再生する映像再生装置とが通信回線を介して接続された映像通信システムの映像再生装置であって、
前記再生速度を指定して前記画像フレームの読み出し指示を前記映像サーバ装置に送信する指示送信手段と、
前記読み出し指示に従って前記映像サーバ装置から送信された画像フレームを受信してバッファ記憶手段に格納する画像フレーム受信手段と、
前記バッファ記憶手段に記憶された画像フレームを映像表示手段に送信する再生手段と、
前記画像フレーム受信手段が第１の再生速度で前記画像フレームを受信して前記バッファ記憶手段に格納し、かつ、前記再生手段が前記第１の再生速度で前記画像フレームを前記映像表示手段に送信している際、前記指示送信手段に前記第１の再生速度より早い第２の再生速度で前記画像フレームの読み出し指示を送信させ、かつ、前記再生手段に所定の待ち時間の経過の後、前記バッファ記憶手段に記憶された画像フレームを前記第２の再生速度で前記映像表示手段に送信させる早送り再生制御手段と
を有することを特徴とする映像再生装置。
【手続補正２】
【補正対象書類名】明細書
【補正対象項目名】発明の名称
【補正方法】変更
【補正の内容】
【発明の名称】映像再生装置
【手続補正３】
【補正対象書類名】明細書
【補正対象項目名】０００１
【補正方法】変更
【補正の内容】
【０００１】
本発明は、映像再生装置に係り、特に映像の再生速度の変更処理に関する。
【手続補正４】
【補正対象書類名】明細書
【補正対象項目名】０００６
【補正方法】変更
【補正の内容】
【０００６】
なぜなら、上記利用者の指示が入力された際に映像再生装置に記憶されていた映像フレームは、上記指示の前の速度で表示され、かつ、映像サーバ装置が上記指示に基づいた制御信号を受信して、上記信号に従った速度で送信する前に送信した映像フレームは、上記指示の前の速度で表示されるからである。
【手続補正５】
【補正対象書類名】明細書
【補正対象項目名】０００７
【補正方法】変更
【補正の内容】
【０００７】
本発明は、上記問題点を解決するためになされたもので、映像再生装置の利用者が、再生速度を変更する指示を映像再生装置に与えた後、短時間のうちに、上記指示に従った映像の表示に変更することができる映像再生装置を提供することを目的とする。
【手続補正６】
【補正対象書類名】明細書
【補正対象項目名】０００８
【補正方法】変更
【補正の内容】
【０００８】
上記目的を達成するために、本発明の映像再生装置は、複数の画像フレームからなる映像を記憶し、再生速度を指定した前記画像フレームの読み出し、または、前記画像フレームの読み出しの停止である読み出し指示を受信して、前記受信された読み出し指示に従って、前記記憶された画像フレームを読み出して送信する映像サーバ装置と、前記映像を再生する映像再生装置とが通信回線を介して接続された映像通信システムの映像再生装置であって、前記読み出し指示を前記映像サーバ装置に送信する指示送信手段と、前記読み出し指示に従って前記映像サーバ装置から送信された前記画像フレームを受信してバッファ記憶手段に格納する画像フレーム受信手段と、前記バッファ記憶手段に記憶された画像フレームを映像表示手段に送信する再生手段と、前記画像フレーム受信手段が第１の再生速度で前記画像フレームを受信して前記バッファ記憶手段に格納し、かつ、前記再生手段が前記第１の再生速度で前記画像フレームを前記映像表示手段に送信している際、前記指示送信手段に前記画像フレームの読み出しを停止する指示を送信させて所定の待ち時間が経過した後に前記第１の再生速度より遅い第２の再生速度で前記画像フレームを読み出す指示を送信させ、かつ、前記再生手段に前記バッファ記憶手段に記憶された画像フレームを前記第２の再生速度で前記映像表示手段に送信させるスロー再生制御手段とを有することを特徴とする。
【手続補正７】
【補正対象書類名】明細書
【補正対象項目名】０００９
【補正方法】変更
【補正の内容】
【０００９】
また、本発明の映像再生装置は、複数の画像フレームからなる映像を記憶し、再生速度を指定した前記画像フレームの読み出し指示を受信し、前記受信された読み出し指示に従って、前記記憶された画像フレームを読み出して送信する映像サーバ装置と、前記映像を再生する映像再生装置とが通信回線を介して接続された映像通信システムの映像再生装置であって、前記再生速度を指定して前記画像フレームの読み出し指示を前記映像サーバ装置に送信する指示送信手段と、前記読み出し指示に従って前記映像サーバ装置から送信された画像フレームを受信してバッファ記憶手段に格納する画像フレーム受信手段と、前記バッファ記憶手段に記憶された画像フレームを映像表示手段に送信する再生手段と、前記画像フレーム受信手段が第１の再生速度で前記画像フレームを受信して前記バッファ記憶手段に格納し、かつ、前記再生手段が前記第１の再生速度で前記画像フレームを前記映像表示手段に送信している際、前記指示送信手段に前記第１の再生速度より早い第２の再生速度で前記画像フレームの読み出し指示を送信させ、かつ、前記再生手段に所定の待ち時間の経過の後、前記バッファ記憶手段に記憶された画像フレームを前記第２の再生速度で前記映像表示手段に送信させる早送り再生制御手段とを有することを特徴とする。
【手続補正８】
【補正対象書類名】明細書
【補正対象項目名】００１０
【補正方法】変更
【補正の内容】
【００１０】
本発明によれば、映像再生装置は、自装置に記憶された変速前の再生速度で読み出された映像フレームを変速後の再生速度に変換して再生するので、映像再生装置の利用者が、再生速度を変更する指示を映像再生装置に与えた後、短時間のうちに、上記指示に従った映像の表示に変更することができる映像再生装置を提供することができる。
【手続補正９】
【補正対象書類名】明細書
【補正対象項目名】００１１
【補正方法】変更
【補正の内容】
【００１１】
以下に、本発明による映像再生装置の実施の形態を、図面を参照して説明する。図１は、本発明の実施形態に係る映像再生装置を含む映像通信システムの構成を示すブロック図である。